(57)【要約】【課題】  単体で主装置の制御及び通話の両者を低コストで行うことを可能とするハンドセットを提供する。【解決手段】  主装置を制御するための遠隔制御信号を変調部１３６で変調し、話者の音声信号を変調部１３８で変調し、変調部１３６が出力する変調された遠隔制御信号及び変調部１３８が出力する変調された音声信号を主多重部１３９で多重化し、多重化された信号を逆光電変換部１４０で赤外線に変換して、主装置に出力する。一方、主装置から入力した赤外線を光電変換部１４１で電気信号に変換し、復調部１４２で復調することにより、通話相手の音声信号を得る。【選択図】        図３
2005109666.tif 000002
【特許請求の範囲】
【請求項１】
ユーザの操作に応じて電子機器に対して遠隔制御を行うための遠隔制御手段と、
ＩＰ電話又はテレビ電話の通話に係る部分を行うための通話手段と、
主装置へ赤外線で前記遠隔制御のための遠隔制御信号を送信する遠隔制御信号送信手段と、
前記主装置との間で赤外線で前記ＩＰ電話又は前記テレビ電話のための音声信号を送受信する音声信号送受信手段と、
を備えることを特徴とするハンドセット。
【請求項２】
請求項１に記載のハンドセットにおいて、
前記主装置へ赤外線で送信する前記遠隔制御信号を変調する第１の変調手段と、
前記主装置へ赤外線で送信する前記音声信号を変調する第２の変調手段と、
変調された前記遠隔制御信号と変調された前記音声信号を多重する多重手段と、
を更に備えることを特徴とするハンドセット。
【請求項３】
請求項１に記載のハンドセットにおいて、
前記主装置から赤外線で送られてきた変調されている前記音声信号を復調する復調手段を更に備えることを特徴とするハンドセット。
【請求項４】
請求項１乃至３のいずれか１項に記載のハンドセットと、主装置とを備え、
前記主装置は、ＩＰ電話又はテレビ電話を行うための通話手段を備え、
前記ハンドセットと前記主装置は、それぞれ、前記ハンドセットの通話手段でＩＰ電話又はテレビ通話の通話に係る部分を行うか、又は、前記主装置の通話手段でＩＰ電話又はテレビ電話の通話に係る部分を行うかをユーザの操作に応じて切り換える切換手段を備えることを特徴とする通話システム。
【請求項５】
請求項４に記載の通話システムにおいて、
前記主装置は、テレビ番組の受信と画像を用いたテレビ電話とが同時に行われる時に、受信したテレビ番組の画像とテレビ電話の画像とを同時に表示するための映像信号を生成する映像信号生成手段を更に備えることを特徴とする通話システム。
【請求項６】
請求項４に記載の通話システムにおいて、
前記主装置は、
テレビ番組の受信と画像を用いたテレビ電話とが同時に行われる時に、テレビ電話の画像を表示するがテレビ番組の画像を表示しないための映像信号を生成する映像信号生成手段と、
テレビ番組の受信と画像を用いたテレビ電話とが同時に行われる時に、受信したテレビ番組を録画する録画手段と、
を更に備えることを特徴とする通話システム。
【請求項７】
請求項４に記載の通話システムにおいて、
前記主装置は、テレビ電話の使用時に、テレビ電話の画像の表示を禁止する禁止手段を更に備え、
前記禁止手段がテレビ電話の画像の表示を禁止している状態で、前記切換手段により選択された前記ハンドセットの通話手段又は前記主装置の通話手段のうちの一方でテレビ電話の通話に係る部分を行うことを特徴とする通話システム。
【請求項８】
請求項４に記載の通話システムにおいて、
前記主装置の電源は、主電源とスタンバイ電源を備え、前記主電源が切断されているときであっても、前記主装置の通話に係る部分に前記スタンバイ電源から電源が供給され、着呼を前記主装置から前記ハンドセットに転送できるようにしたことを特徴とする通話システム。
【発明の詳細な説明】
【技術分野】
【０００１】
本発明は、家庭等で家電製品の遠隔制御等に用いられるハンドセットに関する。また、本発明は、家庭等で通話をするためのハンドセットに関する。
【背景技術】
【０００２】
従来より、多くの家庭等で用いられる家電製品にこれを遠隔制御するためのリモートコントローラ（所謂リモコン）が付属するようになってきている。例えば、テレビに付属するリモートコントローラを用いて、テレビの電源の投入又は切断及びチャンネルの切換え等を行うことができる。また、ＶＴＲに付属するリモートコントローラを用いて、録画予約、再生等を行うことができる。
【０００３】
一方、公衆電話回線網に接続される電話機のなかにはワイヤレスの子機が付属するものがある。子機を用いると、親機を介して外線を用いて通話をしたり、親子通話をすることができる。
【０００４】
なお、本発明に関連する先行技術文献としては以下のものがある。
【特許文献１】特開２００３−７８９７７号公報
【特許文献２】特開２００３−３７６５４号公報
【発明の開示】
【発明が解決しようとする課題】
【０００５】
ところで、近年インターネットの普及に伴い、ＩＰ(Internet Protocol)電話及びテレビ電話も普及してきている。これらは、例えば、ＵＤＰ／ＩＰ(User Datagram Protocol/Internet Protocol)又はＴＣＰ／ＩＰ(Transmission Control Protocol/Internet Protocol)上のＳＩＰ(Session Initiation Protocol)又はＨ．３２３を用いて行われる。
【０００６】
ＩＰ電話やテレビ電話は、専用機で行われる場合もあるが、インターネットに接続したパーソナルコンピュータを用いて行われる場合もある。また、インターネットに接続したパーソナルコンピュータをホームサーバ（主装置）として、これにテレビモニター等の映像機器や音響機器を接続する場合もある。
【０００７】
ここで、ＩＰ電話を従来の親子電話の子機のようなものを用いて行うことは便利なことであるが、従来と同様の発想をすると、主装置と子機を無線信号で接続する形態が想定される。具体的には、従来の親子電話と同様な無線方式を用いること、ＰＨＳ(Personal Handyphone System)を用いること、ＩＥＥＥ８０２．１１ｘを用いること等が想定される。
【０００８】
しかしながら、無線信号で主装置と子機を接続すると、わざわざ無線通信部分を設けなければならず、このためのコストは軽視できない。
【０００９】
無線信号で主装置と子機を接続することは、主装置と子機が異なった部屋に存在する場合にも対応できるようにしたためである。従って、主装置と子機が同一の部屋に存在する場合にまで、無線信号で主装置と子機を接続することは過剰なこととも考えられる。そして、主装置が存在する部屋で子機を用いて通話をする場面も多いと考えられる。
【００１０】
また、テレビ電話は、パーソナルコンピュータの画面とその画面の上に設置したカメラ、その画面の近くに配置したスピーカ、その画面の近くに配置したマイクを用いて行うことも考えられるが、例えば、リビングルームに居て、主装置に接続されたテレビモニター及びその上に設置したカメラを用いながらも、ソファに座りながら行うことも考えられる。この様な場合、ソファの近くにスピーカとマイクを配置する必要が生じ、これに応えるために、子機をソファの近くに配置し、子機のスピーカとマイクを用いることが考えられる。また、この場合、子機をハンズフリー会話のモードに設定することも可能である。
【００１１】
一方、主装置にはリモートコントローラも付属し、リモートコントローラを用いて、主装置の映像関連部分及び音響関連部分を遠隔制御することが可能となっている。
【００１２】
従って、主装置に、無線信号で主装置と通信をする子機を付属させ、一方で、主装置を遠隔制御するためのリモートコントローラも付属させることは、コスト面でも実用面でも無駄が多い。
【００１３】
そこで、本発明は、単体で主装置の制御及び通話の両者を低コストで行うことを可能とするハンドセット及びこれを含む通話システムを提供することを目的とする。
【課題を解決するための手段】
【００１４】
本発明の第１の観点によれば、ユーザの操作に応じて電子機器に対して遠隔制御を行うための遠隔制御手段と、ＩＰ電話又はテレビ電話の通話に係る部分を行うための通話手段と、主装置へ赤外線で前記遠隔制御のための遠隔制御信号を送信する遠隔制御信号送信手段と、前記主装置との間で赤外線で前記ＩＰ電話又は前記テレビ電話のための音声信号を送受信する音声信号送受信手段と、を備えることを特徴とするハンドセットが提供される。
【００１５】
本発明の第１の観点によるハンドセットは、前記主装置へ赤外線で送信する前記遠隔制御信号を変調する第１の変調手段と、前記主装置へ赤外線で送信する前記音声信号を変調する第２の変調手段と、変調された前記遠隔制御信号と変調された前記音声信号を多重する多重手段と、を更に備えていてもよい。
【００１６】
本発明の第１の観点によるハンドセットは、前記主装置から赤外線で送られてきた変調されている前記音声信号を復調する復調手段を更に備えていてもよい。
【００１７】
本発明の第２の観点によれば、本発明の第１の観点によるハンドセットと、主装置とを備え、前記主装置は、ＩＰ電話又はテレビ電話を行うための通話手段を備え、前記ハンドセットと前記主装置は、それぞれ、前記ハンドセットの通話手段でＩＰ電話又はテレビ通話の通話に係る部分を行うか、又は、前記主装置の通話手段でＩＰ電話又はテレビ電話の通話に係る部分を行うかをユーザの操作に応じて切り換える切換手段を備えることを特徴とする通話システムが提供される。
【００１８】
本発明の第２の観点による通話システムにおいて、前記主装置は、テレビ番組の受信と画像を用いたテレビ電話とが同時に行われる時に、受信したテレビ番組の画像とテレビ電話の画像とを同時に表示するための映像信号を生成する映像信号生成手段を更に備えていてもよい。
【００１９】
本発明の第２の観点による通話システムにおいて、前記主装置は、テレビ番組の受信と画像を用いたテレビ電話とが同時に行われる時に、テレビ電話の画像を表示するがテレビ番組の画像を表示しないための映像信号を生成する映像信号生成手段と、テレビ番組の受信と画像を用いたテレビ電話とが同時に行われる時に、受信したテレビ番組を録画する録画手段と、を更に備えていてもよい。
【００２０】
本発明の第２の観点による通話システムにおいて、前記主装置は、テレビ電話の使用時に、テレビ電話の画像の表示を禁止する禁止手段を更に備え、前記禁止手段がテレビ電話の画像の表示を禁止している状態で、前記切換手段により選択された前記ハンドセットの通話手段又は前記主装置の通話手段のうちの一方でテレビ電話の通話に係る部分を行うようにしてもよい。
【００２１】
本発明の第２の観点による通話システムにおいて、前記主装置の電源は、主電源とスタンバイ電源を備え、前記主電源が切断されているときであっても、前記主装置の通話に係る部分に前記スタンバイ電源から電源が供給され、着呼を前記主装置から前記ハンドセットに転送できるようにしてもよい。
【発明の効果】
【００２２】
請求項１に記載の発明によれば、遠隔制御信号及び音声信号を赤外線で主装置に送信するので、赤外線通信のための部分を一系統設けるのみで済み、コストを削減することが可能となる。また、わざわざ無線通話部を設ける必要が無くなるので、このような場合に比べ、コストを削減することが可能となる。
【００２３】
請求項２に記載の発明によれば、２つの変調信号を多重するので、赤外線通信のための部分を一系統設けるのみで済み、コストを削減することが可能となる。また、わざわざ無線通話部を設ける必要が無くなるので、このような場合に比べ、コストを削減することが可能となる。
【００２４】
請求項３に記載の発明によれば、赤外線で送信されてきた信号を復調することにより、通話相手の音声をえることができるので、わざわざ無線通話部を設ける必要が無くなるので、このような場合に比べ、コストを削減することができる。
【００２５】
請求項４に記載の発明によれば、主装置で通話を行うか、又は、ハンドセットで通話を行うかを切り換えることができるので、ユーザがその時々の状況に応じて、主装置又はハンドセットで通話をすることが可能となる。
【００２６】
請求項５に記載の発明によれば、テレビ番組の画像とテレビ電話の画像を同時に表示するので、ユーザは両者を同時に把握し、必要に応じ一方に集中することができる。
【００２７】
請求項６に記載の発明によれば、テレビ電話の画像のみを表示し、テレビ番組の画像を録画するので、ユーザは、テレビ電話の最中にはテレビ番組のことを忘れてテレビ電話の画像のみに集中することができ、後に、録画して置いたテレビ番組を視聴することができる。
【００２８】
請求項７に記載の発明によれば、テレビ電話でありながら、テレビ電話の画像を表示せずに、音声のみで通話を行うので、例えば、通話相手がテレビ電話を希望したとしても、ユーザの希望により通常の通話をすることができる。
【００２９】
請求項８に記載の発明によれば、主装置の電源を切断しているときであっても、着信をハンドセットで受けることができるので、省電力化を図ることができる。
【発明を実施するための最良の形態】
【００３０】
以下、図面を参照して、本発明の実施形態について詳細に説明する。
【００３１】
本実施形態による通話システムは、主装置及びハンドセットを備える。
【００３２】
まず、主装置の全体構成について図１を参照して説明する。図１を参照すると、主装置は、パケット処理部１０１、音声映像伸長部１０２、音声映像圧縮部１０３、キー群１０４、キースキャン部１０５、光電変換部１０６、主多重分離部１０７、復調部１０８、復調部１０９、音声／制御分離部１１０、変調部１１１、逆光電変換部１１２、音声／制御多重部１１３、通話部１１４、映像出力部１１５、映像入力部１１６、映像出力禁止部１１７、テレビチューナ１１８、録画部１１９、主装置制御部１２０及び通話制御部１２１を備える。
【００３３】
パケット処理部１０１は、インターネットと接続され、送信する音声信号又は音声画像信号のパケット化及び受信したパケットからの音声信号又は音声画像信号の取り出しを行う。具体的には、ＩＰパケット、ＴＣＰパケット、ＵＤＰパケット、ＲＴＰ(Realtime Transport Protocol)パケット等の処理を行う。
【００３４】
音声映像伸張部１０２は、パケット処理部１０１から入力した音声信号を伸張し、又は、パケット処理部１０１から入力した音声映像信号を伸張し、音声信号及び、存在するならば、映像信号を復元する。
【００３５】
音声映像圧縮部１０３は、通話部１１４から入力した音声信号を圧縮し、又は、通話部１１４から入力した音声信号及び映像入力部１１６から入力した映像信号を圧縮し、圧縮音声信号又は圧縮音声映像信号を生成する。
【００３６】
キー群１０４は、複数のキーを備える。主装置がパーソナルコンピュータをベースにしているものであれば、キー群１０４は、コンピュータキーボードのキーを備え、その他、音声映像関係のキー（チャンネルキー、音量キー等）を備えていても良い。主装置が専用のものであれば、キー群１０４は、音声映像関係のキー等を備える。
【００３７】
キースキャン部１０５は、キーをスキャンし、ユーザにより押されたキーを検出する。
【００３８】
光電変換部１０６は、ハンドセットから受光した赤外線を電気信号に変換する。
【００３９】
主多重分離部１０７は、光電変換部１０６から入力した信号から変調されている遠隔制御信号と変調されている音声／制御信号を取り出す。多重方式としては、周波数多重方式を想定しているが、時分割多重方式、符号多重方式等の他の多重方式を用いても良い。ここで、音声／制御信号とは、音声信号と制御信号が時分割多重されている信号のことである。
【００４０】
復調部１０８は、主多重分離部１０７から入力した変調されている遠隔制御信号を復調し、ベースバンドの遠隔制御信号を生成する。変調方式としては、現在普及している周波数が４００キロヘルツのパルス幅変調方式を想定しているが、パルス振幅変調方式、パルス符号変調方式等の他の変調方式を用いても良い。
【００４１】
復調部１０９は、主多重分離部１０７から入力した変調されている音声／制御信号を復調し、ベースバンドの音声／制御信号を生成する。変調方式としては、周波数変調方式を想定しているが、位相変調方式、振幅変調方式等の他の変調方式を用いても良い。また、多重方式として周波数多重方式を用いる場合には、変調されている遠隔制御信号の周波数帯域と変調されている音声／制御信号の周波数帯域は重ならないようにする。例えば、変調されている音声／制御信号の中心周波数を数メガヘルツから数十メガヘルツとする。
【００４２】
音声／制御分離部１１０は、復調部１０９から入力したベースバンドの音声／制御信号を分離して、音声信号と通話制御信号を別々に出力する。
【００４３】
変調部１１１は、音声／映像多重部１１３から入力したベースバンドの音声／制御信号を変調して、変調された音声／制御信号を生成する。変調部１１１の変調方式は復調部１０９の変調方式と同様であるが、変調部１１１が生成した変調された音声／制御信号の周波数帯域と復調部１０９が復調する変調された音声／制御信号の周波数帯域は重ならないようにする。また、変調されている遠隔制御信号の周波数帯域と変調部１１１が生成した変調された音声／制御信号の周波数帯域は重ならないようにする。
【００４４】
逆光電変換部１１２は、変調部１１１から入力した変調された音声／制御信号を赤外線に変換する。また、逆光電変換部１１２が出力する赤外線は無指向性とする。こうすることにより、ハンドセットが部屋のどこにあっても、ハンドセットは、逆光電変換部１１２から出力された赤外線を受光できるようになる。
【００４５】
音声／制御多重部１１３は、音声映像伸張部１０２から入力した音声信号と通話制御部１２１から入力した制御信号を通話制御部１２１から指定されたタイミングで時分割多重して、音声／制御信号を生成する。
【００４６】
通話部１１４は、音声映像伸張部１０２から入力した音声信号を基に音声を出力し、主装置が内蔵するマイク１１４−１（図２）又は主装置に接続されたマイク１１４−１（図２）が入力した音声から音声信号を得る。そして、通話部１１４は、内蔵するマイク１１４−１（図２）が入力した音声から得た音声信号又は音声／制御分離部１１０から入力した音声信号を音声映像圧縮部１０３に出力する。更に、通話部１１４は、テレビチューナ１１８から入力した音声信号又は録画部１１９から入力した音声信号を基に音声を出力する。
【００４７】
音声／制御多重部１１３は、音声映像伸張部１０２から入力した音声信号と通話制御部１２１から入力した通話制御信号を通話制御部１２１から入力した切替信号に従って時分割多重して、音声／制御信号を生成する。
【００４８】
通話部１１４は、主装置を利用した音声通話等を行うためのものである。図２に通話部１１４の内部構成を示す。図２を参照すると、通話部１１４は、マイク１１４−１、増幅部１１４−２、入力音声選択部１１４−３、Ａ／Ｄ変換部１１４−４、Ｄ／Ａ変換部１１４−５、出力音声選択部１１４−６、増幅部１１４−７及びスピーカ１１４−８を備える。スピーカ１１４−８は主装置が内蔵するものであっても良く、主装置に接続されたテレビモニターに備わるものであっても良く、主装置に接続された独立のものであっても良い。マイク１１４−１、増幅部１１４−２、Ａ／Ｄ変換部１１４−４、Ｄ／Ａ変換部１１４−５、増幅部１１４−７及びスピーカ１１４−８は周知であるので、これらの説明は省略する。入力音声選択部１１４−３は、通話制御部１２１からの制御信号に従って、音声／制御分離部１１０から入力した話者側音声信号又は増幅部１１４−２から入力した話者側音声信号を選択して、Ａ／Ｄ変換部１１４−４に供給する。出力音声選択部１１４−６は、通話制御部１２１からの制御信号に従って、Ｄ／Ａ変換部１１４−５から入力した相手側音声信号、テレビチューナ１１８から入力した放送音声信号、又は、録画部１１９から入力した再生音声信号を選択して、増幅部１１４−７に供給する。
【００４９】
映像出力部１１５は、音声映像伸張部１０２から入力した相手側映像信号、テレビチューナ１１８から入力した放送映像信号、又は、録画部１１９から入力した再生映像信号を選択し、選択した映像信号をモニター（図示せず）等に出力する。
【００５０】
映像入力部１１６は、話者等の映像を写し、話者等の映像信号を生成する。
【００５１】
映像出力禁止部１１７は、通話制御部１２１から入力する映像出力禁止信号に従って、映像出力部１１５からの映像信号の出力を禁止する。
【００５２】
テレビチューナ１１８は、テレビ放送信号を受信し、放送映像信号及び放送音声信号を出力する。
【００５３】
録画部１１９は、テレビチューナ１１８から入力した放送映像信号及び放送音声信号を必要に応じて録画し、録画されている放送映像信号及び放送音声信号を必要に応じて再生する。
【００５４】
主装置制御部１２０は、キースキャン部１０５から入力するキーコード及び復調部１０８から入力する遠隔制御信号を解読し、その遠隔制御信号に従って、主装置の各部に主装置制御信号を出力する。特に、主装置制御部１２０は、遠隔制御信号等に従って、チャンネルの切換え、音量の調整等のための主装置の関連部分に主装置制御信号を出力する。
【００５５】
通話制御部１２１は、音声／制御分離部１１０から入力する通話制御信号及びパケット処理部１０１から入力する通話制御信号に従って、通話部１１４及びハンドセットの通話部１３４（図３参照）を制御する。通話部１３４を制御するための通話制御信号は、音声／制御多重部１１３により音声信号と時分割多重され、ハンドセットの通話制御部１３５（図３参照）に供給される。通話制御部１３５は、その通話制御信号に従って、通話部１３４を制御する。通話部１１４、１３４の制御とは、後述する音声出力のＯＮ／ＯＦＦ切換え及び音声入力のＯＮ／ＯＦＦの切換え等である。すなわち、ハンドセット通話又はハンドセットを用いたハンズフリー通話を行う場合には、音声出力及び音声入力をＯＦＦにして、主装置を用いたハンズフリー通話を行う場合には、音声出力及び音声入力をＯＮにする。また、通話制御部１２１は、通話制御信号が映像信号の出力の禁止を表している場合には、映像信号出力禁止信号を映像出力禁止部１１７に出力し、映像出力部１１５からの映像信号の出力を禁止する。また、通話制御部１２１は、通話制御信号に従って、映像出力部１１５が選択する映像信号を指定する。
【００５６】
次に、ハンドセットの全体構成について図３を参照して説明する。図３を参照すると、ハンドセットは、キー群１３１、キースキャン部１３２、遠隔制御部１３３、通話部１３４、通話制御部１３５、変調部１３６、音声／制御多重部１３７、変調部１３８、主多重部１３９、逆光電変換部１４０、光電変換部１４１、復調部１４２を備える。
【００５７】
キー群１３１は、複数のキーを備える。キー群１３１は、音声映像関係のキー（チャンネルキー、音量キー等）並びにＩＰ電話及びテレビ電話を制御するためのキーを備える。
【００５８】
キースキャン部１３２は、キーをスキャンし、ユーザにより押されたキーを検出する。
【００５９】
遠隔制御部１３３は、キースキャン部１３２から入力するキーコードを解読し、主装置を遠隔制御（チャンネルの切換え、音量の調整等の遠隔制御）するための遠隔制御信号を生成する。
【００６０】
通話部１３４は、ハンドセットを用いた音声通話を行うためのものである。図４に通話部１３４の内部構成を示す。図４を参照すると、通話部１３４は、マイク１３４−１、増幅部１３４−２、増幅部１３４−３及びスピーカ１３４−４を備える。これらの基本的な機能は周知であるので、基本的な機能についての説明は省略する。増幅部１３４−２、１３４−３は制御信号を通話制御部１３５から入力し、制御信号に従って、増幅を行ったり行わなかったりする。すなわち、ハンドセット通話又はハンドセットを用いたハンズフリー通話を行う場合には、各通話方法に適切な増幅度で増幅を行い、主装置を用いたハンズフリー通話を行う場合には、増幅を行わない。
【００６１】
通話制御部１３５は、キースキャン部１３２から入力するキーコード及び復調部１４２から入力する通話制御信号に従って、通話部１３４の増幅部１３４−２、１３４−３のＯＮ／ＯＦＦを切り換える。また、キーコードスキャン部１３２から入力するキーコードを解読し、通話制御信号を生成する。
【００６２】
変調部１３６は、遠隔制御部１３３から入力する遠隔制御信号を変調する。変調部１３６が行う変調の方式は、復調部１０８と同一のものである。
【００６３】
音声／制御多重部１３７は、通話部１３４から入力する音声信号と通話制御部１３５から入力する通話制御信号を通話制御部１３５から入力する切換え信号に従って時分割多重する。
【００６４】
変調部１３８は、音声／制御多重部１３７から入力する音声／制御信号を変調する。変調部１３８が行う変調の方式は、復調部１０９と同一のものである。
【００６５】
主多重部１３９は、変調部１３６から入力する変調された遠隔制御信号と変調部１３８から入力する変調された音声／制御信号を多重する。主多重部１３９が行う多重の方式は主多重分離部１０７と同一のものである。
【００６６】
逆光電変換部１４０は、主多重部１３９から入力する多重信号を赤外線に変換する。また、逆光電変換部１４０が出力する赤外線は無指向性とする。こうすることにより、ハンドセットが部屋のどこにあっても、主装置は、逆光電変換部１４０から出力された赤外線を受光できるようになる。
【００６７】
光電変換部１４１は、主装置から受光した赤外線を電気信号に変換する。
【００６８】
このような構成により特に以下のことが行われる。
【００６９】
まず、通話部１３４が生成した音声信号と遠隔制御部１３３が生成した遠隔制御信号が多重化され、赤外線の信号に変換される。そして、主装置では、赤外線の信号を受光し、これを電気信号に変換し、音声信号と遠隔制御信号に多重分離する。
【００７０】
また、通話部１３４が生成した音声信号と通話制御部１３５が生成した通話制御信号が多重化され、赤外線の信号に変換される。そして、主装置では、赤外線の信号を受光し、これを電気信号に変換し、音声信号と通話制御信号に多重分離する。
【００７１】
なお、通話制御信号を遠隔制御信号の未割り当て部（空きコード部）に割り当て、通話制御信号の体系の一部を構成するようにしても良い。例えば、通話制御信号が８ビットで表されるとして、００Ｈ〜ＢＦＨまでが通話制御信号に割り当てられているとすれば、Ｃ０Ｈ〜ＦＦＨを通話制御信号に割り当てても良い。このような場合には、遠隔制御部１３３は、通話制御信号も生成し、通話制御部１３５は通話制御信号を生成しない。これに対応して、主装置制御部１２０が通話制御信号を通話制御部１２１に代わり生成する。
【００７２】
また、相手側音声信号は、主装置から赤外線の形態で出力され、ハンドセットがこれを受光し、電気信号に変換し、相手側音声を出力する。
【００７３】
次に、主多重部１３９が行う多重方法及び主多重分離部１０７が行う多重分離方法について図５及び６を参照して説明する。
【００７４】
図５（ａ）に示すのは、主多重部１３９が変調部１３８から入力する変調された音声／制御信号であり、例えば、周波数変調されている。図５（ｂ）に示すのは、主多重部１３９が変調部１３６から入力する変調された遠隔制御信号であり、例えば、パルス幅変調されている。図５（ｃ）に示すのは、主多重部１３９がこれらの信号を多重して得られる信号である。主多重分離部１０７は、図５（ｃ）に示す信号を入力し、これを図５（ａ）に示す信号及び図５（ｂ）に示す信号に分離する。
【００７５】
図６（ａ）は、主多重部１３９の構成例を示す。図６（ａ）を参照すると、主多重部１３９は、変調された遠隔制御信号を通す低域通過フィルタ１３９−１、変調された音声／制御信号を通す帯域通過フィルタ１３９−２及びこれらのフィルタの出力を加算する加算器１３９−３を備える。
【００７６】
図６（ｂ）は、主多重分離部１０７の構成例を示す。図６（ｂ）を参照すると、主多重分離部１０７は、多重信号のうち変調された遠隔制御信号のみを通す低域通過フィルタ１０７−１、多重信号のうち変調された音声／制御信号のみを通す帯域通過フィルタ及び低域通過フィルタ１０７−１の出力の波形を整形するための比較器１０７−３を備える。
【００７７】
次に、実際にＩＰ電話又はテレビ電話が行われるときの主装置及びハンドセットの動作について説明する。
【００７８】
まず、通話相手から呼を受けてＩＰ電話を開始する場合の動作について図７及び８を参照して説明する。
【００７９】
まず、主装置は、ＩＰ電話の着信があるまで待ち続ける（ステップＳ２０１）。主装置は、ＩＰ電話の着信があったならば、電話をハンドセットに転送する（ステップＳ２０３）。
【００８０】
一方、ハンドセットは、着信があるまで待ち続けており（ステップＳ２１９）、電話の転送があると、オフフックがあるまで待ち続ける（ステップＳ２２１）。ハンドセットは、オフフックがあると、オフフックがあった旨の通話制御信号を主装置に送信する（ステップＳ２２２）。次に、ハンドセットは、現在、通話は、ハンドセットによるハンズフリー通話に設定されているのか、又は、ハンドセット通話に設定されているのかを判断する（ステップＳ２２３）。
【００８１】
通話がハンドセット通話に設定されている場合には（ステップＳ２２３でＮＯ）、通話がハンドセット通話の旨の通話制御信号を主装置に送信し（ステップＳ２２５）、通話部１３４をハンドセット通話を行うように制御する（ステップＳ２２７）。通話がハンドセットによるハンズフリー通話に設定されている場合には（ステップＳ２２３でＹＥＳ）、通話がハンドセットによるハンズフリー通話である旨の通話制御信号を主装置に送信し（ステップＳ２２９）、通話部１３４をハンドセットによるハンズフリー通話を行うように制御する（ステップＳ２３１）。
【００８２】
次に、ハンドセットは、通話制御のためのコマンドが入力されるまで待ち続け（ステップＳ２３３）、コマンドが入力されたならば、コマンドが主装置によるハンズフリー通話の指定を表しているならば（ステップＳ２３５でＹＥＳ）、通話が主装置によるハンズフリー通話である旨の通話制御信号を主装置に送信し（ステップＳ２３７）、通話部１３４を主装置によるハンドセットを行うように制御する（ステップＳ２３９）。コマンドがハンドセット通話の指定を表しているならば（ステップＳ２４１でＹＥＳ）、通話がハンドセット通話である旨の通話制御信号を主装置に送信し（ステップＳ２４３）、通話部１３４をハンドセット通話を行うように制御する（ステップＳ２４５）。コマンドがハンドセットによるハンズフリー通話の指定を表しているならば（ステップＳ２４７でＹＥＳ）、通話がハンドセットによるハンズフリー通話である旨の通話制御信号を主装置に送信し（ステップＳ２４９）、通話部１３４をハンドセットによるハンズフリー通話を行うように制御する（ステップＳ２５１）。
【００８３】
次に、ハンドセットは、オンフックが行われたかどうかを判断し（ステップＳ２５７）、オンフックが行われなければ（ステップＳ２５７でＮＯ）、ステップＳ２３３に戻り、オンフックが行われれば（ステップＳ２５７でＹＥＳ）、オンフックが行われた旨の通話制御信号を主装置に送信する（ステップＳ２５９）。
【００８４】
一方、主装置は、転送（ステップＳ２０３）を行った後、オフフックの旨の通話制御信号を受信するまで待ち続け（ステップＳ２０４）、オフフックの旨の通話制御信号を受信したならば、ハンドセットから通話制御信号を受信するまで待ち続ける（ステップＳ２０５）。通話制御信号を受信したならば、通話が主装置によるハンズフリー通話である旨を通話制御信号が示しているならば（ステップＳ２０７でＹＥＳ）、通話部１１４を主装置によるハンズフリー通話を行うように制御する（ステップＳ２０９）。通話がハンドセット通話である旨を通話制御信号が示しているならば（ステップＳ２１１でＹＥＳ）、通話部１１４をハンドセット通話を行うように制御する（ステップＳ２１３）。通話がハンドセットによるハンズフリー通話を通話制御信号が示しているならば（ステップＳ２１５でＹＥＳ）、通話部１１４をハンドセットによるハンズフリー通話を行うように制御する（ステップＳ２１７）。オンフックが行われた旨を通話制御信号が示しているならば（ステップＳ２５３）、回線を切断する（ステップＳ２５５）。オンフックが行われた旨を通話制御信号が示していないならば（ステップＳ２５５でＮＯ）、ステップＳ２０５に戻る。
【００８５】
なお、ハンドセットの通話部１３４は、ハンドセットによるハンズフリー通話を行う場合には、増幅部１３４−２、１３４−３のゲインを上げ、ハンドセット通話を行う場合には、増幅部１３４−２、１３４−３のゲインを下げ、主装置によるハンズフリー通話を行う場合には、増幅部１３４−２、１３４−３のゲインをゼロにする。また、主装置の通話部１１４は、ハンドセットによるハンズフリー通話又はハンドセット通話を行う場合には、増幅部１１４−２、１１４−７のゲインをゼロにし、主装置によるハンズフリー通話を行う場合には、増幅部１１４−２、１１４−７のゲインを所定値にする。但し、ハンドセットによるハンズフリー通話又はハンドセット通話を行う場合に、バックグラウンドの音声も相手に伝えられるように増幅部１１４−２のゲインを０以外の値に設定しても良く、その値をユーザが調整できるようにしても良い。また、ハンドセットによるハンズフリー通話又はハンドセット通話を行う場合に、室内に居る通話者以外の者が通話相手の側の音声を聞くことができるように、増幅部１１４−７のゲインを０以外の値に設定しても良く、その値をユーザが調整できるようにしても良い。
【００８６】
次に、当方から発呼してＩＰ電話を開始する場合の動作について図７、８及び９を参照して説明する。
【００８７】
図９を参照すると、まず、ハンドセットは、当方のユーザによる電話番号の入力を受け付け（ステップＳ２６１）、オフフックを受け付ける（ステップＳ２６３）。次に、ハンドセットは、発呼要求の旨の通話制御信号を主装置に送信し（ステップＳ２６５）、主装置は発呼する（ステップＳ２６７）。
【００８８】
主装置は、ステップＳ２６７を行った後に、ステップＳ２０５に進み、ハンドセットはステップＳ２６５を行った後に、ステップＳ２２３に進む。主装置のステップＳ２０５以降の動作及びハンドセットのステップＳ２２３以降の動作は、通話相手から呼を受けてＩＰ電話を開始する場合と同様であるので、これらの説明を省略する。
【００８９】
次に、通話相手から呼を受けてテレビ電話を開始する場合の動作について図７、１０及び１１を参照して説明する。
【００９０】
まず、主装置は、テレビ電話の着信があるまで待ち続ける（ステップＳ２７１）。主装置は、テレビ電話の着信があったならば、電話をハンドセットに転送する（ステップＳ２７３）。
【００９１】
一方、ハンドセットは、着信があるまで待ち続けており（ステップＳ２７５）、電話の転送があると、オフフックがあるまで待ち続ける（ステップＳ２７７）。ハンドセットは、オフフックがあると、オフフックがあった旨の通話制御信号を主装置に送信し（ステップＳ２７９）、ステップＳ２２３に進む。
【００９２】
主装置は、転送（ステップＳ２７３）を行った後、オフフックの旨の通話制御信号を受信するまで待ち続け（ステップＳ２８１）、オフフックの旨の通話制御信号を受信したならば、テレビ電話の画面の全画面表示が設定されているか否かを判断する（ステップＳ２８３）。全画面表示が設定されているならば（ステップＳ２８３でＹＥＳ）、更に、テレビ放送受信中であるならば（ステップＳ２８５でＹＥＳ）、テレビ放送の録画を開始する（ステップＳ２８７）。そして、全画面表示が設定されているならば（ステップＳ２８３でＹＥＳ）、テレビ電話の画面を全画面表示する（ステップＳ２８９）。全画面表示が設定されていないならば（ステップＳ２８３でＮＯ）、テレビ電話の画面をウィンドウ表示する（ステップＳ２９１）。テレビ放送を受信しているならば、ステップ２９１では、テレビ放送の画面にテレビ電話の画面を埋め込んだピクチャインピクチャで表示したり、テレビ電話の画面にテレビ放送の画面を埋め込んだピクチャインピクチャで表示したり、テレビ放送の画面とテレビ電話の画面を別ウィンドウに表示したりする。
【００９３】
ステップＳ２８９又はステップＳ２９１からは、ステップＳ２０５に進む。
【００９４】
主装置は、図７に示すステップＳ２０５〜Ｓ２１７を行い、ハンドセットは、図７に示すステップＳ２２３〜Ｓ２５１を行うが、これらの説明は既にしたので省略する。
【００９５】
主装置は、ステップＳ２１７の次にステップ２９１（図１１参照）に進み、ハンドセットは、ステップＳ２５１の次にステップＳ３０１（図１１参照）に進む。
【００９６】
ハンドセットは、ステップＳ３０１で、テレビ電話画面を消去する操作が行われたかどうかを判断し、そうであれば（ステップＳ３０１でＹＥＳ）、テレビ電話画面を消去する旨の通話制御信号を主装置に送信する（ステップＳ３０３）。次に、ハンドセットは、オンフックが行われたか否かを判断し（ステップＳ３０５）、オンフックが行われていなければ（ステップＳ３０５でＮＯ）、ステップＳ２３３に戻る。オンフックが行われていれば（ステップＳ３０５でＹＥＳ）、オンフックの旨の通話制御信号を主装置に送信する（ステップＳ３０７）。
【００９７】
一方、主装置は、ステップＳ２９１で、テレビ電話画面を消去する旨の通話制御信号を受信したか否かを判断し、そうであれば（ステップＳ２９１でＹＥＳ）、テレビ電話画面を消去する（ステップＳ２９３）。次に、主装置は、オンフックの旨の通話制御信号を受信したか否かを判断する（ステップＳ２９５）。オンフックの旨の通話制御信号を受信していなければ（ステップＳ２９５でＮＯ）、ステップＳ２０５に戻る。オンフックの旨の通話制御信号を受信していれば（ステップＳ２９５でＹＥＳ）、回線を切断する（ステップＳ２９７）。
【００９８】
次に、当方から発呼してテレビ電話を開始する場合の動作について図７、１０、１１及び１２を参照して説明する。
【００９９】
図１２を参照すると、まず、ハンドセットは、当方のユーザによる電話番号の入力を受け付け（ステップＳ３０１）、オフフックを受け付ける（ステップＳ３０３）。次に、ハンドセットは、発呼要求の旨の通話制御信号を主装置に送信し（ステップＳ３０５）、主装置は発呼する（ステップＳ３０７）。
【０１００】
主装置は、ステップＳ３０７を行った後に、ステップＳ２８３（図１０）に進み、ハンドセットはステップＳ３０５を行った後に、ステップＳ２２３（図７）に進む。主装置のステップＳ２８３以降の動作及びハンドセットのステップＳ２２３以降の動作は、通話相手から呼を受けてテレビ電話を開始する場合と同様であるので、これらの説明を省略する。
【０１０１】
次に、ハンドセットに入力されたコマンドに従って、主装置を遠隔制御するときの動作について図１３を参照して説明する。
【０１０２】
ハンドセットは、主装置の遠隔制御のためのコマンドが入力されるまで待ち続け（ステップＳ４０１）、コマンドが入力されたならば、コマンドに対応した遠隔制御信号を主装置に送信し（ステップＳ４０３）、ステップＳ４０１に戻る。
【０１０３】
主装置は、遠隔制御信号をハンドセットから受信するまで待ち続け（ステップＳ４０５）、遠隔制御信号を受信したならば、遠隔制御信号を解読し（ステップＳ４０７）、解読結果に応じて主装置を制御し（ステップＳ４０９）、ステップＳ４０５に戻る。
【０１０４】
なお、主装置の電源を主電源とスタンバイ電源の２系統に分け、スタンバイ電源からパケット処理部１０１、通話制御部１２１、音声／制御多重部１１３、変調部１１１、逆光電変換部１１２、光電変換部１０６、主多重分離部１０７、復調部１０９、音声／制御分離部１１０に電源を供給し、主電源から他の部分に電源を供給するようにする。そして、ユーザにより主電源が切られても、スタンバイ電源は投入されたままの状態にしておく。この様な状態にしておくことにより、主電源を切っている最中に着呼があったときに、通話をハンドセットに転送し、ハンドセットで通話をすることが可能となる。また、復調部１０８にもスタンバイ電源から電源が供給されるようにし、主電源制御用の回路を復調部１０８に接続しておくことにより、リモートコントローラによる電源投入信号に応じて、主電源を投入することが可能となる。
【産業上の利用可能性】
【０１０５】
本発明は、ハンドセットを用いたＩＰ電話又はテレビ電話に利用することができる。また、本発明は、ハンドセットを用いた主装置に対する遠隔制御に利用することができる。
【図面の簡単な説明】
【０１０６】
【図１】本発明の実施形態による主装置の構成を示すブロック図である。
【図２】本発明の実施形態による主装置の通話部の構成を示すブロック図である。
【図３】本発明の実施形態によるハンドセットの構成を示すブロック図である。
【図４】本発明の実施形態によるハンドセットの通話部の構成を示すブロック図である。
【図５】本発明の実施形態による遠隔制御信号と音声信号の多重化について説明するための波形図である。
【図６】本発明の実施形態によるハンドセットの主多重部及び主装置の主多重分離部の構成を示すブロック図である。
【図７】本発明の実施形態による主装置及びハンドセットのＩＰ電話及びテレビ電話の動作を示すフローチャートである。
【図８】本発明の実施形態による主装置及びハンドセットのＩＰ電話及びテレビ電話の動作を示すフローチャートである。
【図９】本発明の実施形態による主装置及びハンドセットのテレビ電話の動作を示すフローチャートである。
【図１０】本発明の実施形態による主装置及びハンドセットのＩＰ電話及びテレビ電話の動作を示すフローチャートである。
【図１１】本発明の実施形態による主装置及びハンドセットのＩＰ電話及びテレビ電話の動作を示すフローチャートである。
【図１２】本発明の実施形態による主装置及びハンドセットのテレビ電話の動作を示すフローチャートである。
【図１３】本発明の実施形態による主装置及びハンドセットの遠隔制御時の動作を示すフローチャートである。
【符号の説明】
【０１０７】
１０１  パケット処理部
１０２  音声映像伸張部
１０３  音声映像圧縮部
１０４  キー群
１０５  キースキャン部
１０６  光電変換部
１０７  主多重分離部
１０８  復調部
１０９  復調部
１１０  音声／制御分離部
１１１  変調部
１１２  逆光電変換部
１１３  音声／制御多重部
１１４  通話部
１１５  映像出力部
１１６  映像入力部
１１７  映像出力禁止部
１１８  テレビチューナ
１１９  録画部
１２０  主装置制御部
１２１  通話制御部
１３１  キー群
１３２  キースキャン部
１３３  遠隔制御部
１３４  通話部
１３５  通話制御部
１３６  変調部
１３７  音声／制御多重部
１３８  変調部
１３９  主多重部
１４０  逆光電変換部
１４１  光電変換部
１４２  復調部
【図１】
2005109666.tif 000003
【図２】
2005109666.tif 000004
【図３】
2005109666.tif 000005
【図４】
2005109666.tif 000006
【図５】
2005109666.tif 000007
【図６】
2005109666.tif 000008
【図７】
2005109666.tif 000009
【図８】
2005109666.tif 000010
【図９】
2005109666.tif 000011
【図１０】
2005109666.tif 000012
【図１１】
2005109666.tif 000013
【図１２】
2005109666.tif 000014
【図１３】
2005109666.tif 000015